(57)【要約】【課題】通常のディスク及びデュアルディスクの双方に対し、より的確に対応して再生や記録を行うことができる技術を提供する。【解決手段】挿入されるディスク２を、それについて記録又は再生を行うために所定位置に搬送する際に、ディスクの一方の面を案内する案内面１ａと、前記搬送に際し、ディスクの他方の面に対し、前記案内面方向への付勢力を付与しながら、搬送方向への駆動力を付与するローラ３４とを備えたディスク装置において、前記搬送に際し、ディスクの厚さに応じてローラの位置が異なることに基づき、ディスクの厚さに対応する信号を出力する信号出力手段を設ける。【選択図】図１
2007012120.tif 000002
【特許請求の範囲】
【請求項１】
挿入されるディスクを、それについて記録又は再生を行うために所定位置に搬送する際に、前記ディスクの一方の面を案内する案内面と、
前記搬送に際し、前記ディスクの他方の面に対し、前記案内面方向への付勢力を付与しながら、前記搬送方向への駆動力を付与するローラとを備えたディスク装置において、
前記搬送に際し、前記ディスクの厚さに応じて前記ローラの位置が異なることに基づき、前記ディスクの厚さに対応する信号を出力する信号出力手段を具備することを特徴とするディスク装置。
【請求項２】
前記案内面に平行でかつ前記搬送方向に対して垂直な回動軸により回動可能に支持され、かつ前記ローラを前記回動軸に平行な回転軸を介して回転可能に支持するローラ支持手段と、
前記ローラによるディスクの付勢がなされるように前記ローラ支持手段を付勢する付勢手段とを備え、
前記信号出力手段は、前記ローラ支持手段の回動位置に基づき、前記ディスクの厚さに対応する信号の出力を行うものであることを特徴とする請求項１に記載のディスク装置。
【請求項３】
前記ローラは中心部へ向けて細くなるようにテーパが設けられており、これにより前記ディスクの外周部と接触して前記ディスクに対する付勢力及び駆動力の付与を行うものであり、
前記信号出力手段は、前記ディスクが所定の厚さを有する種類のディスクである場合、前記ローラが前記ディスクと、ディスクの最大径部分において接触し、前記ローラ支持手段の回動方向の変位がほぼ最大となったことに基づいてオンとなるスイッチを有することを特徴とする請求項２に記載のディスク装置。
【請求項４】
前記記録又は再生を行うためのピックアップ及びターンテーブルと、
前記ディスクの厚さに対応する信号に基づき、前記ピックアップ及びターンテーブル間の距離を調整する調整手段とを有することを特徴とする請求項１〜３のいずれか１項に記載のディスク装置。
【請求項５】
前記挿入されるディスクとして、厚さが異なり、かつ準拠する規格又は記録面までの深さが異なる２種以上の光ディスクがあり得ることを特徴とする請求項１〜４のいずれか１項に記載のディスク装置。
【請求項６】
前記ディスクの厚さに対応する信号が、前記ディスクがデュアルディスクである場合の厚さに対応するものであり、かつ前記ピックアップに対峙する方のディスク面がＣＤ面であるとき、前記調整手段は、前記ピックアップ及びターンテーブル間の距離を、前記ディスクが厚さ１．２［ｍｍ］の通常のディスクである場合よりも０．３［ｍｍ］だけより大きく離間させるものであることを特徴とする請求項４に記載のディスク装置。
【請求項７】
挿入されるディスクを、それについて記録又は再生を行うために所定位置に搬送する際に、前記ディスクの一方の面を案内する案内面と、
前記搬送に際し、前記ディスクの他方の面に対し、前記案内面方向への付勢力を付与しながら、前記搬送方向への駆動力を付与するローラとを備えたディスク装置におけるディスクの搬送方法であって、
前記案内面及びローラを用いて前記ディスクの搬送を行う搬送工程と、
前記搬送工程において、前記ディスクの厚さに応じて前記ローラの位置が異なることに基づき、前記ディスクの厚さに対応する信号を出力する工程とを具備することを特徴とするディスク搬送方法。
【発明の詳細な説明】
【技術分野】
【０００１】
本発明は、挿入されるディスクを、それについて記録又は再生を行うために、所定位置へ向けて、案内面及びローラにより搬送を行うディスク装置及び該ディスク装置に適したディスク搬送方法に関する。
【背景技術】
【０００２】
従来、直径１２［ｃｍ］の光ディスクの規格としては、ＣＤ、ビデオＣＤ、ＤＶＤ等の規格が存在する。これらの規格が異なるディスクについて１台の装置で記録や再生を行うためには、その装置が、ターンテーブルにセットされたディスクの規格を識別し、その規格に適合した制御を行う必要がある。そのために従来、光ピックアップのレーザによりディスク面を照射してその反射光を検出し、その検出結果に基づき、ディスクの規格を判別するようにしている（たとえば、特許文献１〜５参照）。
【０００３】
また、近年、直径１２［ｃｍ］の光ディスクとして、デュアルディスクという新たな規格のディスクが登場している。デュアルディスクはＤＶＤフォーマットによる厚さ０．６［ｍｍ］の片面（以下、「ＤＶＤ面」という。）に対し、ＣＤフォーマットで信号を記録したもう一方の片面（以下、「ＣＤ面」という。）を張り合わせて両面ディスクとしたものである。
【０００４】
ＣＤ面の厚さは、通常のＣＤにおける規定の１．２［ｍｍ］よりも薄い０．９［ｍｍ］となっている。ＤＶＤ面はＤＶＤ規格に準拠しており、ＤＶＤマークが付されているが、ＣＤ面はＣＤの規格に準拠していないので、ＣＤマークは付されていない。このデュアルディスクを用いたコンテンツについては、アメリカの市場では既に１００タイトル以上が発売されており、多数が市場に出回っている。
【０００５】
図３は従来例に係るローラ式スロットインメカを採用したディスク装置の主要部を示す図である。この装置は、直径１２［ｃｍ］の光ディスクについて、記録又は再生を行う機能を有している。図中の９１はディスクを案内するための案内面９１ａが設けられたシャシである。案内面９１ａは、挿入されるディスク９２が、それについて記録又は再生を行うための所定位置に搬送される過程において、ディスク９２の一方の面を案内する。
【０００６】
９３は前記搬送過程において、ディスク９２を案内面９１ａに対して付勢しながら、ディスク９２の他方の面に対し、矢印Ａで示される搬送方向へ向けて駆動力を付与するゴムローラである。ゴムローラ９３は図示しないモータによって駆動され、ディスク９２の他方の面に接触して駆動力を付与し、ディスク９２を案内面９１ａに沿って矢印Ａ方向へ搬送する。
【０００７】
９４はシャシ９１に対し、回動軸９４ａによって位置決めされ、回動可能に支持されているローラアッセンブリである。ゴムローラ９３はローラアッセンブリ９４に設けられた回転軸９４ｂによって回転可能に支持され、かつバネによって案内面９１ａ方向に付勢されている。
【０００８】
ディスク９２が左側から、矢印Ａ方向に向けて、案内面９１ａ及びゴムローラ９３間に挿入されると、ゴムローラ９３はディスク９２に対して案内面９１ａ方向の付勢力及び搬送方向への駆動力を付与するので、ディスク９２は案内面９１ａによって一方の面が案内されながら、搬送方向へ搬送される。その後、ディスク２がロード位置に搬入されると、ターンテーブル５及びピックアップ６を用い、ディスク２の記録又は再生が行われる。
【０００９】
【特許文献１】特許第３４９５１７７号公報
【特許文献２】特開２００３−１９６８４７号公報
【特許文献３】特許第３１４８６８３号公報
【特許文献４】特開２００３−３１７２４１号公報
【特許文献５】特許第２８５１５９７号公報
【発明の開示】
【発明が解決しようとする課題】
【００１０】
しかしながら、かかる従来のディスク装置によれば、デュアルディスクへの対応を可能とするために、対物レンズのＮＡ（開口比）がＣＤ専用のピックアップよりも大きいＤＶＤ用のピックアップをＤＶＤ面及びＣＤ面に対して共通に使用する場合、デュアルディスクのＣＤ面は通常のＣＤより薄いので、デュアルディスクの再生を行うとき、光学的に不利となる。このため、ＤＶＤ面は再生することができても、ＣＤ面の再生が困難で、ＣＤ面を再生することができない場合がある。デュアルディスク専用に各パラメータを最適化すればＣＤ面を再生できる可能性は高くなるが、その場合、通常のＣＤの再生に影響を及ぼすおそれがある。
【００１１】
また、従来のようにピックアップレーザを発光させ、その反射光に基づき、デュアルディスクのＣＤ面であるか又は通常のＣＤであるかの識別を行う場合、ＣＤ面における信号のフォーマットが通常のＣＤの場合とまったく同じであるため、識別が困難であるという問題もある。
【００１２】
また、ＣＤ面は通常のＣＤより０．３［ｍｍ］（＝１．２−０．９）薄いため、その分だけピックアップレーザの合焦位置が下がることになる。一方、ピックアップの対物レンズについては、通常の厚さ１．２［ｍｍ］のＣＤの場合、合焦位置から±０．７［ｍｍ］程度のフォーカス可動範囲が保証されている。したがってデュアルディスクについては、通常のピックアップを用いる場合、合焦位置が初めから０．３［ｍｍ］オフセットしている上に、ディスク外周部で面ブレが±０．４［ｍｍ］以上あると、それだけでピックアップの保証範囲の０．７［ｍｍ］に達してしまい、レンズが下限まで下がって機械的なストッパに当たってもフォーカスが合わないという可能性がある。
【００１３】
本発明の目的は、このような従来技術の問題点に鑑み、通常のディスク及びデュアルディスクの双方に対し、より的確に対応して再生や記録を行うことができる技術を提供することにある。
【課題を解決するための手段】
【００１４】
上記目的を達成するための第１の発明は、挿入されるディスクを、それについて記録又は再生を行うために所定位置に搬送する際にディスクの一方の面を案内する案内面と、前記搬送に際し、ディスクの他方の面に対し、前記案内面方向への付勢力を付与しながら、前記搬送方向への駆動力を付与するローラとを備えたディスク装置に関する。そして、前記搬送に際し、前記ディスクの厚さに応じて前記ローラの位置が異なることに基づき、ディスクの厚さに対応する信号を出力する信号出力手段を具備することを特徴とする。
【００１５】
ここで、ディスク装置としては、たとえばスロットイン式のＤＶＤ、ＣＤ等のマルチプレーヤが該当する。挿入されるディスクとしては、たとえば厚さが１．２［ｍｍ］の通常のディスクや、厚さが１．５［ｍｍ］のデュアルディスクが該当する。信号出力手段としては、たとえば、ローラの付勢方向位置が所定位置にまで変位したときにオンとなるスイッチを用いたものが該当する。
【００１６】
この構成において、ディスクが挿入されると、そのディスクは案内面によって案内されながら、ローラによって搬送方向へ駆動される。その間ローラは、ディスクの厚さに応じた距離だけ案内面から離間した位置において、ディスクに対し、案内面方向への付勢及び搬送方向への駆動を行う。したがってこのとき、ディスクの厚さに応じてローラの位置が異なることになるので、信号出力手段は、ローラの位置に基づき、ディスクの厚さに対応する信号を出力することができる。
【００１７】
第２の発明に係るディスク装置は、第１発明において、前記案内面に平行でかつ前記搬送方向に対して垂直な回動軸により回動可能に支持され、かつ前記ローラを前記回動軸に平行な回転軸を介して回転可能に支持するローラ支持手段と、前記ローラによるディスクの付勢がなされるように前記ローラ支持手段を付勢する付勢手段とを備え、信号出力手段は、ローラ支持手段の回動位置に基づき、ディスクの厚さに対応する信号の出力を行うものであることを特徴とする。
【００１８】
第３の発明に係るディスク装置は、第２発明において、前記ローラは中心部へ向けて細くなるようにテーパが設けられており、これによりディスクの外周部と接触してディスクに対する付勢力及び駆動力の付与を行うものであり、信号出力手段は、挿入されたディスクが所定の厚さを有する種類のディスクである場合、前記ローラがそのディスクと、ディスクの最大径部分において接触し、ローラ支持手段の回動方向の変位がほぼ最大となったことに基づいてオンとなるスイッチを有することを特徴とする。
【００１９】
第４の発明に係るディスク装置は、第１〜第３のいずれかの発明において、記録又は再生を行うためのピックアップ及びターンテーブルと、ディスクの厚さに対応する信号に基づき、ピックアップ及びターンテーブル間の距離を調整する調整手段とを有することを特徴とする。
【００２０】
第５の発明に係るディスク装置は、第１〜第４のいずれかの発明において、挿入されるディスクとして、厚さが異なり、かつ準拠する規格又は記録面までの深さが異なる２種以上の光ディスクがあり得ることを特徴とする。
【００２１】
第６の発明に係るディスク装置は、第４発明において、前記ディスクの厚さに対応する信号が、ディスクがデュアルディスクである場合の厚さに対応するものであり、かつピックアップに対峙する方のディスク面がＣＤ面であるとき、前記調整手段は、ピックアップ及びターンテーブル間の距離を、挿入されたディスクが厚さ１．２［ｍｍ］の通常のディスクである場合よりも０．３［ｍｍ］だけより大きく離間させるものであることを特徴とする。
【００２２】
第７の発明に係るディスク装置は、挿入されるディスクを、それについて記録又は再生を行うために所定位置に搬送する際に、ディスクの一方の面を案内する案内面と、前記搬送に際し、ディスクの他方の面に対し、前記案内面方向への付勢力を付与しながら、前記搬送方向への駆動力を付与するローラとを備えたディスク装置におけるディスクの搬送方法であって、前記案内面及びローラを用いてディスクの搬送を行う搬送工程と、前記搬送工程において、ディスクの厚さに応じて前記ローラの位置が異なることに基づき、ディスクの厚さに対応する信号を出力する工程とを具備することを特徴とする。
【発明の効果】
【００２３】
本発明によれば、ディスクの厚さに応じてローラの位置が異なることに基づき、ディスクの厚さに対応する信号を出力するようにしたため、厚さが異なるディスクの種類を確実に判別することができる。たとえば厚さが１．２［ｍｍ］の通常のディスクと、厚さが１．５［ｍｍ］のデュアルディスクとを確実に判別することができる。挿入されたディスクについてのかかる判別結果に基づき、そのディスクの種類に適した各種設定要素についてのパラメータ値を適用し、そのディスクについての記録又は再生を行うことができる。
【発明を実施するための最良の形態】
【００２４】
図１は本発明の一実施形態に係るローラ式スロットインメカを採用したディスク装置の主要部を示す図である。このディスク装置は、同図に示すように、シャシ１、挿入されるディスク２をシャシ１との間で案内し、所定のロード位置まで搬送するためのローラアッセンブリ３、及びローラアッセンブリ３の回動位置に基づき、ディスク２の厚みを検出するためのスイッチ４を備える。さらに、このディスク装置は、ロード位置に搬入されたディスク２について記録又は再生を行うためのターンテーブル５及びピックアップ６を備える。
【００２５】
シャシ１は、挿入されるディスク２がロード位置まで搬送される過程において、ディスク２の一方の面を案内する案内面１ａを有する。ディスク２としては、厚さが１．２［ｍｍ］の通常のディスク（以下、単に「通常ディスク」という。）、及び厚さが１．５［ｍｍ］のデュアルディスク（以下、単に「デュアルディスク」という。）が用いられる。直径は双方とも１２［ｃｍ］である。ローラアッセンブリ３はシャシ１の案内面１ａに平行な回動軸３１により回動可能に支持されたアーム部３２、アーム部３２上において回動軸３１に平行に設けられた回転軸３３、回転軸３３を介して回転可能にアーム部３２によって支持されたゴムローラ３４を備える。
【００２６】
ゴムローラ３４は図示しないバネによってシャシ１の案内面１ａに対して付勢されており、これにより、ディスク２の搬送過程において、ディスク２をシャシ１の案内面１ａに対して付勢しながら、ディスク２の他方の面に対し搬送方向への駆動力を付与することができる。ディスク２の搬送に際し、ゴムローラ３４は、図示しないモータにより駆動される。ディスク２の搬送時におけるゴムローラ３４の位置はディスク２の厚さに応じて異なる。つまり、ゴムローラ３４は、ディスク２を駆動しているときには、ディスク２の厚さに対応する分だけアーム部３２とともに、矢印Ｂで示される回動方向に変位する。
【００２７】
図２はディスク２を挿入する様子を示す。同図では、図１の左方の側、すなわちディスク２を装置に挿入するための、図示していない挿入口の側から見た様子を示している。ゴムローラ３４には中間部分が細くなるようにテーパが設けられている。これによりゴムローラ３４とディスク２との接触は、ディスク２の外周部において行われるようになっている。
【００２８】
スイッチ４は機械的なスイッチであり、挿入されたディスク２が通常ディスクである場合、その搬送時にアーム部３２の回動によってオンとはならないが、挿入されたディスク２がデュアルディスクの場合、その搬送時にアーム部３２の回動によってオンとなるように設けられている。すなわちスイッチ４は、０．３［ｍｍ］という両ディスクの厚さの差によりアーム部３２の回動量が異なることに基づき、デュアルディスクが挿入された場合にのみオンとなって、挿入されたディスク２がデュアルディスクである旨の検出信号を出力するものである。
【００２９】
アーム部３２がスイッチ４と接触してスイッチ４をオンとする部分は、アーム部３２の回動軸３１からなるべく離れた位置とすることにより、ゴムローラ３４における０．３［ｍｍ］の位置の相違をレバー比の分だけ拡大し、スイッチ４によるデュアルディスクの検出精度を向上させることができる。なおスイッチ４の代わりに、アーム部３２の動きを検出するフォトインタラプタのような光センサを用いるようにしてもよい。
【００３０】
この構成において、ディスク２がディスク装置に対し挿入口を介して矢印Ａ方向へ挿入されると、ディスク２はゴムローラ３４により駆動力が与えられ、ロード位置へ向けて搬送される。この間、ディスク２は、ゴムローラ３４からの付勢力により、シャシ１の案内面１ａ及びゴムローラ３４によって挟むようにして案内される。またこの間、ディスク２の搬送位置に応じ、次のように、ゴムローラ３４の位置が変動し、アーム部３２の回動量も変化する。
【００３１】
すなわち、ゴムローラ３４には中心部分に向かって細くなるようにテーパが設けられているので、ディスク２が挿入された直後では、図２（ａ）に示されるように、ゴムローラ３４の中心部分近傍２１がディスク２の周辺部と接触する。これにより、ゴムローラ３４及び案内面１ａ間の距離が増大し、アーム部３２には回動が生じる。
【００３２】
その後、ディスク２が搬送されてゆき、ディスク２の最大径部分がゴムローラ３４の位置に到達すると、図２（ｂ）に示されるように、ディスク２の周辺部はゴムローラ３４の外側端部近傍２２と接触する。このとき、ゴムローラ３４は案内面１ａから最も離間した位置に位置するので、アーム部３２の回動量は最大となる。
【００３３】
このとき、ディスク２が厚さ１．２［ｍｍ］の通常ディスクである場合には、アーム部３２はスイッチ４に接触することはなく、スイッチ４はオンとはならない。しかし、ディスク２が厚さ１．５［ｍｍ］のデュアルディスクである場合には、アーム部３２は通常ディスクの場合よりも最大回動量が大きいので、アーム部３２はスイッチ４に接触する。これにより、スイッチ４はオンとなり、デュアルディスクを検出した旨の検出信号を出力する。
【００３４】
その後、さらにディスク２の搬送が進むと、図２（ｃ）のように、ディスク２の周辺部はゴムローラ３４の中心部側２３と接触するようになり、アーム部３２の回動量は減少する。このとき、ディスク２がデュアルディスクである場合には、スイッチ４はオフ状態に戻っている。その後、ディスク２がロード位置に搬入されると、ターンテーブル５及びピックアップ６を用い、ディスク２の記録又は再生が行われることになる。
【００３５】
ディスク２の記録又は再生に際しては、従来のディスクの判定方法に従い、ピックアップ６が出力するレーザ光の反射光に基づき、反射面がＤＶＤ規格に準拠した記録面であるか又はＣＤ規格に準拠した記録面であるかの判定が行われる。ＤＶＤ規格に準拠した記録面であると判定された場合、反射面は通常の厚さのＤＶＤディスクの面又はデュアルディスクのＤＶＤ面であるので、デフォルト設定により記録又は再生が行われる。
【００３６】
一方、反射面がＣＤ規格に準拠した記録面であると判定された場合、ディスク２がスイッチ４の出力に基づきデュアルディスクであると判定されたときには、デュアルディスクのＣＤ面についての記録又は再生に最適化された設定に切り替えて、記録又は再生が行われる。ディスク２が通常ディスクであれば、通常のＣＤの記録又は再生に最適化された設定に切り替えて、記録又は再生が行われる。
【００３７】
本実施形態によれば、挿入されたディスク２がデュアルディスクであるか又は通常ディスクであるかの判定をディスク２のローディング中に、確実に行うことができる。また、この判定に基づき、デュアルディスク又は通常ディスクのＣＤ面を再生する際におけるそれぞれの各種設定要素についてのパラメータ値として最適化した値を使用することができる。したがって、ＤＶＤ用のピックアップをＣＤ面の再生に用いる場合でも、ＣＤ面の再生を行うことができる確率を飛躍的に向上させることができる。
【００３８】
また、スイッチ４等のセンサを追加するだけで、装置の基本的構成を変更することなく容易にデュアルディスクであるか又は通常ディスクであるかの判定を行うことができる。また、アーム部の回動軸３１から離れた位置にスイッチ４を設けることにより、検出精度を容易に向上させることができる。
【００３９】
なお、本発明は上述の実施形態に限定されることなく適宜変形して実施することができる。たとえば、上述においては、特に言及しなかったが、挿入されたディスク２がデュアルディスクであり、かつピックアップ６に対峙する面がＣＤ面であることが検出されたとき、デュアルディスク及びピックアップ６間の間隔を０．３［ｍｍ］増大させる機構を備えるようにしてもよい。
【００４０】
この機構は、ターンテーブル５を０．３［ｍｍ］だけ上方向へ移動させ、又はピックアップ６を０．３［ｍｍ］だけ下方向へ移動させる機構により構成することができる。挿入されたディスク２がデュアルディスクであることは、スイッチ４の出力により判定することができる。ピックアップ６に対峙する面がＣＤ面であることは、従来のように、ピックアップ６が発するレーザ光の反射光に基づいて検出することができる。
【００４１】
これによれば、デュアルディスクのＣＤ面の場合、通常のディスクよりも反射面までの距離が０．３［ｍｍ］近くなるという不都合を解消することができる。また、面ブレのあるデュアルディスクのＣＤ面についても再生することができる確率を向上させることができる。すなわち、対物レンズのフォーカス方向の可動範囲が±０．７［ｍｍ］程度の従来のピックアップを使用する場合でも、ディスクの厚みが変わったことによってオフセットしてしまったフォーカスのセンタ位置を補正することができるので、傾きがあるディスクの再生や記録を行う場合でも、対物レンズが下側リミッタに当たることによってフォーカスが外れるおそれを排除することができる。
【図面の簡単な説明】
【００４２】
【図１】本発明の一実施形態に係るローラ式スロットインメカを採用したディスク装置の主要部を示す図である。
【図２】図１の装置においてディスクを挿入する様子を示す図である。
【図３】従来例に係るローラ式スロットインメカを採用したディスク装置の主要部を示す図である。
【符号の説明】
【００４３】
１，９１：シャシ、１ａ，９１ａ：案内面、２，９２：ディスク、３，９４：ローラアッセンブリ、４：スイッチ、５，９５：ターンテーブル、６，９６：ピックアップ、２１：中心部分近傍、２２：外側端部近傍、２３：中心部側、３１，９４ａ：回同軸、３２：アーム部、３３，９４ｂ：回転軸、３４，９３：ゴムローラ、Ａ，Ｂ：矢印。
【図１】
2007012120.tif 000003
【図２】
2007012120.tif 000004
【図３】
2007012120.tif 000005